(57)【要約】【課題】デジタル放送受信装置が受信できるチャンネルが、利用者の居住地域のチャンネルであるかどうかを容易に判別できるようにする。【解決手段】デジタル放送受信装置は、受信したデジタル放送信号の選局および復調を行うチューナ・復調部１を有している。ＣＰＵ３は、チューナ・復調部１で受信する周波数を変化させて放送信号が受信可能な周波数と放送サービスとを関連付けてリスト化したチャンネルリストを生成し、メモリ部４にチャンネルリスト４ｂとして記憶する。チャンネルリスト４ｂには、受信した信号に含まれる地域情報が含まれる。またメモリ部４には、利用者の居住地域として、居住地域設定情報４ａが格納される。ＣＰＵ３は、利用者の居住地域情報と各チャンネルの地域情報とを比較して、チャンネルリストの受信可能なチャンネルが、利用者の居住地域のサービスであるかないかを、映像表示部９に出力して表示させる。【選択図】        図１
2004304691.tif 000002
【特許請求の範囲】
【請求項１】
受信したデジタル放送信号の選局および復調を行うチューナ・復調部と、該チューナ・復調部で受信する周波数を変化させて放送信号が受信可能な周波数と放送サービスとを関連付けてリスト化したチャンネルリストを生成させる制御部と、生成されたチャンネルリストを記憶する記憶手段と、受信した放送映像を表示する表示手段とを有し、該記憶手段に記憶したチャンネルリストを利用して選局できるようにしたデジタル放送受信装置において、前記制御部は、利用者の居住地域情報を前記記憶手段に格納するとともに、各チャンネルで受信した信号に含まれる地域情報を前記チャンネルリストに付加して該記憶手段に格納しておき、前記利用者の居住地域情報と、前記各チャンネルの地域情報とを比較して、チャンネルリストの受信可能なチャンネルが、利用者の居住地域のサービスであること、または利用者の居住地域のサービスではないことを、前記表示手段に表示させることを特徴とするデジタル放送受信装置。
【請求項２】
請求項１に記載のデジタル放送受信装置において、前記受信可能なチャンネルが利用者の居住地域のサービスであること、および利用者の居住地域のサービスではないことの表示は、文字列によって利用者に認知させるようにした表示であることを特徴とするデジタル放送受信装置。
【請求項３】
請求項１に記載のデジタル放送受信装置において、前記受信可能なチャンネルが利用者の居住地域のサービスであること、および利用者の居住地域のサービスではないことの表示は、アイコンによって利用者に認知させるようにした表示であることを特徴とするデジタル放送受信装置。
【請求項４】
請求項１に記載のデジタル放送受信装置において、受信可能なチャンネルが利用者の居住地域のサービスであること、および利用者の居住地域のサービスではないことの表示は、色を変えることによって利用者に認知させるようにした表示であることを特徴とするデジタル放送受信装置。
【請求項５】
請求項１に記載のデジタル放送受信装置において、受信可能なチャンネルが利用者の居住地域のサービスであること、および利用者の居住地域のサービスではないことの表示は、文字のフォントを変えることによって利用者に認知させるようにした表示であることを特徴とするデジタル放送受信装置。
【請求項６】
請求項１に記載されたデジタル放送受信装置において、受信可能なチャンネルが利用者の居住地域のサービスであること、および受信可能なチャンネルが居住地域のサービスではないことの表示は、表示位置を変えることによって利用者に認知させるようにした表示であることを特徴とするデジタル放送受信装置。
【請求項７】
請求項１ないし６のいずれか１に記載のデジタル放送受信装置において、前記制御部は、前記チャンネルリストに記録された地域情報の文字列情報を各チャンネルごとに対応付けて前記表示手段に表示させることを特徴とするデジタル放送受信装置。
【請求項８】
請求項１ないし７のいずれか１に記載されたデジタル放送受信装置において、前記制御部は、前記記憶手段の前記チャンネルリストを走査して、受信可能なチャンネルの地域情報を文字列で示す地域テーブルを生成して前記記憶手段に記憶させ、該地域テーブルを用いて受信可能なチャンネルの対象地域の一覧を前記表示手段に表示させ、該表示させた受信可能なチャンネルの対象地域の一覧における特定の地域の選択を受け付けて、該選択された地域に対応するチャンネルのみを前記チューナ・復調部に設定する受信周波数とすることを特徴とするデジタル放送受信装置。
【発明の詳細な説明】
【０００１】
【発明の属する技術分野】
本発明は、地上波デジタル放送受信装置に関し、特に、チャンネルサーチを行った結果として、受信可能なチャンネルを利用者に提示するとき、受信可能なチャンネルが対象とする地域の情報を提示することができる地上波デジタル放送受信装置に関する。
【０００２】
【従来の技術】
地上波デジタル放送は、地域によって放送に使用される周波数が異なる。また、各チャンネルで送信される、ＮＩＴ（Ｎｅｔｗｏｒｋ  Ｉｎｆｏｒｍａｔｉｏｎ  Ｔａｂｌｅ）には、他局の情報が記載されないことが想定される。
【０００３】
このため、地上波デジタル放送受信装置において、受信地点における全受信可能チャンネルをサーチし、チャンネルリスト（受信可能周波数テーブル）を作成する、チャンネルサーチという処理を行う必要がある。
【０００４】
チャンネルサーチでは、受信装置で受信する周波数を変化させて、その周波数が受信可能かを調べ、受信可能である場合は放送信号を取得することを試みる。放送信号を取得できる場合、その周波数にどのような放送サービスが存在するかわかるので、その周波数と放送サービスとをチャンネルリストに登録していくことで、受信装置が受信可能な周波数と放送サービスが一覧できるチャンネルリストが生成される。
【０００５】
チャンネルサーチを行うときの従来技術として、例えば、特許文献１による技術がある。この技術では、地上波デジタル放送において、送信側でＮＩＴなどのＰＳＩ情報に、その地域で受信可能な周波数の情報を多重して放送し、受信側で受信する際、ユーザーが入力した地域情報に合った地域の周波数情報をＮＩＴから取得して、受信可能なチャンネルのリストを作成する。
【０００６】
【特許文献１】
特開２００１−１９７０２５号公報
【０００７】
【発明が解決しようとする課題】
上述したように、地上波デジタル放送受信装置の利用者が地上波デジタル放送を受信するためには、受信できる可能性があるチャンネル全てをサーチして、各チャンネルが受信可能かを調べ、受信可能なチャンネルのリストを作成する必要がある。
【０００８】
チャンネルサーチを行うとき、例えば、受信地点が県境である場合は、実際に居住している県域の放送サービスとともに、他県域の放送サービスがチャンネルリストに登録され、受信可能となることが考えられる。このとき、放送内容が同じでチャンネル番号が異なるサービスがチャンネルリストに登録される可能性がある。例えば、実際に利用者が居住している県域のＮＨＫ放送と、他県域のＮＨＫ放送がチャンネルリストに混在してしまうこととなる。この様な状況では、受信装置が受信できる各チャンネルが、実際に居住している県域のサービスであるかどうか、放送内容からは利用者に判別しにくくなるおそれがある。
【０００９】
本発明は、かかる問題を解消するためになされたものであり、地上波デジタル受信装置において、チャンネルリストを画面表示する際などに、各サービスがどの地域（県域）のサービスであるかを利用者に提示することが可能な地上波デジタル放送受信装置を提供することを目的としている。
【００１０】
【課題を解決するための手段】
上記目的を達成するために、本発明の第１の技術手段は、受信したデジタル放送信号の選局および復調を行うチューナ・復調部と、そのチューナ・復調部で受信する周波数を変化させて放送信号が受信可能な周波数と放送サービスとを関連付けてリスト化したチャンネルリストを生成させる制御部と、生成されたチャンネルリストを記憶する記憶手段と、受信した放送映像を表示する表示手段とを有し、記憶手段に記憶したチャンネルリストを利用して選局できるようにしたデジタル放送受信装置において、制御部は、利用者の居住地域情報を記憶手段に格納するとともに、各チャンネルで受信した信号に含まれる地域情報をチャンネルリストに付加して記憶手段に格納しておき、利用者の居住地域情報と、各チャンネルの地域情報とを比較して、チャンネルリストの受信可能なチャンネルが、利用者の居住地域のサービスであること、または利用者の居住地域のサービスではないことを表示手段に表示させることを特徴としたものである。
【００１１】
また本発明の第２の技術手段は、第１の技術手段において、上記の受信可能なチャンネルが利用者の居住地域のサービスであること、および利用者の居住地域のサービスではないことの表示が、文字列によって利用者に認知させるようにした表示であることを特徴としたものである。
【００１２】
本発明の第３の技術手段は、上記第１の技術手段において、受信可能なチャンネルが利用者の居住地域のサービスであること、および利用者の居住地域のサービスではないことの表示が、アイコンによって利用者に認知させるようにした表示であることを特徴としたものである。
【００１３】
本発明の第４の技術手段は、第１の技術手段において、受信可能なチャンネルが利用者の居住地域のサービスであること、および利用者の居住地域のサービスではないことの表示が、色を変えることによって利用者に認知させるようにした表示であることを特徴としたものである。
【００１４】
本発明の第５の技術手段は、第１の技術手段において、受信可能なチャンネルが利用者の居住地域のサービスであること、および利用者の居住地域のサービスではないことの表示が、文字のフォントを変えることによって利用者に認知させるようにした表示であることを特徴としたものである。
【００１５】
本発明の第６の技術手段は、第１の技術手段において、受信可能なチャンネルが利用者の居住地域のサービスであること、および受信可能なチャンネルが居住地域のサービスではないことの表示が、表示位置を変えることによって利用者に認知させるようにした表示であることを特徴としたものである。
【００１６】
本発明の第７の技術手段は、第１ないし６のいずれか１の技術手段において、制御部が、チャンネルリストに記録された地域情報の文字列情報を各チャンネルごとに対応付けて表示手段に表示させることを特徴としたものである。
【００１７】
本発明の第８の技術手段は、第１ないし７のいずれか１の技術手段において、制御部が、記憶手段のチャンネルリストを走査して、受信可能なチャンネルの地域情報を文字列で示す地域テーブルを生成して記憶手段に記憶させ、地域テーブルを用いて受信可能なチャンネルの対象地域の一覧を表示手段に表示させ、表示させた受信可能なチャンネルの対象地域の一覧における特定の地域の選択を受け付けて、選択された地域に対応するチャンネルのみをチューナ・復調部に設定する受信周波数とすることを特徴としたものである。
【００１８】
【発明の実施の形態】
以下、本発明による地上波デジタル放送受信装置の第１の実施例を図１ないし図６を用いて説明する。図１は、本発明による地上波デジタル放送受信装置の第１の実施例の構成を示すブロック図である。地上波デジタル放送受信装置は、チューナ・復調部１と、ＴＳ（トランスポートストリーム）デコーダ２と、制御部（ＣＰＵ）３と、メモリ部４と、ＡＶ（オーディオビジュアル）デコーダ５と、グラフィックス生成部６と、混合部７と、音声出力部８と、映像表示部９と、リモートコントローラの操作部１０ａから構成され、アンテナで受信された地上波デジタル放送の放送信号が印加される受信信号入力端子１１を有している。また、共用デジタル放送受信装置本体の操作装置による操作部１０ｂからの操作信号の入力が可能である。メモリ部４には、居住地域設定情報４ａ、チャンネルリスト４ｂが格納される。前記各構成要素は図１に示す通りに接続されている。
【００１９】
チューナ・復調部１は、アンテナで受信したデジタル放送信号の選局及び信号形態を受信信号入力端子１１から入力し、デジタル放送信号の選局及び信号形態に従った復調及び誤り訂正を行って多重化デジタルデータを形成するものである。ＴＳデコーダ２は、チューナ・復調部１から出力された多重化デジタルデータをデコードしてＴＳデータを抽出するものである。また制御部（ＣＰＵ）３は、地上波デジタル放送受信装置全体を統括制御するものである。
【００２０】
メモリ部４は、ＴＳデコーダ２で形成されたデータ等、地上波デジタル放送受信装置で使用されるデータを格納するものであり、またその一部に居住地域設定情報４ａが格納される。また、居住地域設定情報４ａは、利用者の居住地域情報であって、地域情報の形式は、「ＡＲＩＢ  ＳＴＤ−Ｂ１０  付録Ｇ」に示すような識別子でも、独自の形式によるものでも良い。
【００２１】
利用者は、地上波デジタル放送受信装置を使用する際に、予めリモートコントローラ等を用いて、オン・スクリーン・ディスプレイＯＳＤによる設定メニュー等から利用者が受信装置を使用している受信地点の地域を設定しておく。
【００２２】
ＡＶデコーダ５は、ＴＳデコーダ２から出力されたＴＳデータをデコードして音声信号及び映像信号を形成するものである。また、グラフィックス生成部６は、映像表示部９への文字表示機能（オン・スクリーン・ディスプレイＯＳＤを含む）情報を形成するものである。
【００２３】
混合部７は、ＡＶデコーダ５から出力された映像信号とグラフィックス生成部６から出力された文字表示機能情報を混合するものである。音声出力部８は、ＡＶデコーダ５から出力された音声信号を処理するものである。また、映像表示部９は、混合部７から出力された混合映像信号を表示するものである。操作部１０ａは、リモートコントローラ（リモコン）の操作部で、操作部１０ｂは、地上波デジタル放送受信装置本体に設けられた操作装置の操作部である。これら操作部１０ａ，１０ｂの操作により生成された信号は、ＣＰＵ３に入力される。
【００２４】
次に、第１の実施例の地上波デジタル放送受信装置の動作について説明する。図２は、第１の実施例の地上波デジタル放送受信装置においてチャンネルサーチを行う際の動作処理について説明するためのフローチャートである。図２において、地上波デジタル放送受信装置の制御部（ＣＰＵ）３は、始めに、サーチする最初のチャンネルの周波数を設定する（ステップＳ１）。ここで、日本における地上波デジタル放送の周波数は、１３チャンネルから６２チャンネルに定められているので、チャンネルサーチの開始点では１３チャンネルが設定される。
【００２５】
次に、取得した周波数をチューナ・復調部１に設定し、設定周波数で同調できるか否かを判定する（ステップＳ２）。ここで同調できないと判定した場合はステップＳ７に進み、次のチャンネルの周波数を設定する。ステップＳ７では、次のチャンネルの周波数を設定してから、ステップＳ２に戻ってステップＳ２以降の処理を繰り返す。また、上記ステップＳ２で設定周波数に同調できたと判定した場合は、ＰＡＴ（Ｐｒｏｇｒａｍ  Ａｓｓｏｓｉａｔｉｏｎ  Ｔａｂｌｅ）を取得できるか否かを判定する（ステップＳ３）。
【００２６】
上記ステップＳ３で、ＰＡＴを取得できないと判定した場合はステップＳ７に進み、次のチャンネルの周波数を設定し、ステップＳ２に戻る。また、ＰＡＴを取得できたと判定した場合は、地上波デジタル放送のサービスＩＤには地域情報が含まれているため、取得したＰＡＴからチャンネル番号および地域情報を取得する（ステップＳ４）。なお、サービスＩＤ、地域情報はＮＩＴにも存在するので、ＮＩＴから取得することもできる。
【００２７】
次に前記ステップＳ４で取得したチャンネル番号を、地域情報とともに、メモリ部４のチャンネルリスト４ｂに登録する（ステップＳ５）。そして、サーチするチャンネルが最後（６２チャンネル）で、全ての周波数のサーチを完了したか否かを判定し（ステップＳ６）、最後のチャンネルまでサーチしていればチャンネルサーチの処理を終了し、サーチするチャンネルが最後でないと判定した場合はステップＳ７に進んで、次のチャンネルの周波数を設定する。ステップＳ７では、次のチャンネルの周波数を設定してから、ステップＳ２に戻ってステップＳ２以降の処理を繰り返す。
【００２８】
上記のごとくの処理によって、利用者が設定した地域に該当するチャンネルのサービスリストがメモリ部４のチャンネルリスト４ｂに作成されたことになり、受信地点の地域の地上波デジタル放送が受信可能となる。
【００２９】
図３は、メモリ部４のチャンネルリスト４ｂに作成されるチャンネルリストの形式の一例を示す。図３は、チャンネルリストはチャンネル番号、チャンネル番号のチャンネルの周波数、チャンネルの放送局名、およびそのチャンネルの地域情報から構成される。チャンネルリストには、その他の情報を加えても良い。
【００３０】
次に、第１の実施例の地上波デジタル放送受信装置において、地域情報とともにチャンネルリストを画面表示する動作処理について、図４のフローチャートを用いて説明する。図４において、地上波デジタル放送受信装置の制御部（ＣＰＵ）３は、始めに、メモリ部４の居住地域設定情報４ａから、利用者が予め設定した受信地点の地域の地域情報を取得する（ステップＳ１１）。また、メモリ部４のチャンネルリスト４ｂから、チャンネルリストの先頭に登録されているチャンネルの情報を取得する（ステップＳ１２）。
【００３１】
次に、利用者の居住地域の地域情報と、取得したチャンネル情報の地域情報が等しいか否かを判定し（ステップＳ１３）、等しいと判定した場合は、「居住地域の放送です」等、表示するチャンネルが利用者の居住地域のチャンネルであることが識別できる情報とともに、チャンネル情報を表示する（ステップＳ１４）。また、利用者の居住地域の地域情報と、取得したチャンネル情報の地域情報とが等しくないと判定した場合は、「他地域の放送です」等、表示するチャンネルが利用者の居住地域のチャンネルではないことが識別できる情報とともに、チャンネル情報を表示する（ステップＳ１５）。
【００３２】
次に、メモリ部４のチャンネルリスト４ｂに登録されている全てのチャンネルを表示したか否かを判定し（ステップＳ１６）、全てのチャンネルを表示していないと判定した場合は、ステップＳ１７に進んで、次のチャンネル番号を設定してステップＳ１３の処理に戻る。また、上記ステップＳ１６で全てのチャンネルを表示したと判定した場合は、チャンネルリストの画面表示の処理を終了する。
【００３３】
図５は、本発明の第１の実施例による地上波デジタル放送受信装置によるチャンネルリストの画面表示の一例を示す。図５に示す画面表示は、図３に示したチャンネルリストがメモリ部４のチャンネルリスト４ｂに作成されており、利用者がメモリ部４の居住地域設定情報４ａに「徳島県」の地域を設定している場合のチャンネルリストを示している。ここでは、チャンネルリストの一覧表示の例で説明したが、各チャンネルの地域情報は、視聴中の番組の番組情報表示、電子番組表（ＥＰＧ）など、チャンネル情報を表示する画面において、表示が可能である。
【００３４】
図５の例では、各チャンネルが、利用者の居住地域のチャンネルであることを表すため、「居住地域の放送です」という文字列を表示し、また、利用者の居住地域のチャンネルではないことを表すため、「他地域（○○県）の放送です」という文字列を表示している。これらの表示形式としては、チャンネル情報の色を変えて表示する、アイコンを表示する、文字のフォントを変える、表示する位置を変える、などの方法をとることもできる。また、図５のチャンネルリストの画面表示では、各チャンネルの情報として、チャンネル番号、放送局名を表示しているが、その他の情報を表示しても良い。
【００３５】
次に、第１の実施例による動作処理のもう一つの例として、チャンネルサーチを行う際に、受信可能なチャンネルが見つかったときに、順次画面にチャンネル情報を表示する動作処理を、図６のフローチャートを用いて説明する。図６において、各ステップＳ１〜Ｓ７、Ｓ１３〜Ｓ１５は、前記説明した図２のフローチャートのステップＳ１〜７、および図４のフローチャートのステップＳ１３〜１５と処理内容は同様である。
【００３６】
図６において、地上波デジタル放送受信装置の制御部（ＣＰＵ）３は、始めに、サーチする最初のチャンネルの周波数を設定する（ステップＳ１）。ここで、日本における地上波デジタル放送の周波数は、１３チャンネルから６２チャンネルに定められているので、チャンネルサーチの開始点では１３チャンネルが設定される。
【００３７】
次に、取得した周波数をチューナ・復調部１に設定し、設定周波数で同調できるか否かを判定する（ステップＳ２）。ここで同調できないと判定した場合はステップＳ７に進み、次のチャンネルの周波数を設定する。ステップＳ７では、次のチャンネルの周波数を設定してから、ステップＳ２に戻ってステップＳ２以降の処理を繰り返す。また、上記ステップＳ２で設定周波数に同調できたと判定した場合は、ＰＡＴ（Ｐｒｏｇｒａｍ  Ａｓｓｏｓｉａｔｉｏｎ  Ｔａｂｌｅ）を取得できるか否かを判定する（ステップＳ３）。
【００３８】
上記ステップＳ３で、ＰＡＴを取得できないと判定した場合はステップＳ７に進み、次のチャンネルの周波数を設定し、ステップＳ２に戻る。また、ＰＡＴを取得できたと判定した場合は、地上波デジタル放送のサービスＩＤには地域情報が含まれているため、取得したＰＡＴからチャンネル番号および地域情報を取得する（ステップＳ４）。なお、サービスＩＤ、地域情報はＮＩＴにも存在するので、ＮＩＴから取得することもできる。
【００３９】
次に前記ステップＳ４で取得したチャンネル番号を、地域情報とともに、メモリ部４のチャンネルリスト４ｂに登録する（ステップＳ５）。次に、利用者の居住地域の地域情報と、取得したチャンネル情報の地域情報が等しいか否かを判定し（ステップＳ１３）、等しいと判定した場合は、「居住地域の放送です」等、表示するチャンネルが利用者の居住地域のチャンネルであることが識別できる情報とともに、チャンネル情報を表示する（ステップＳ１４）。また、利用者の居住地域の地域情報と、取得したチャンネル情報の地域情報とが等しくないと判定した場合は、「他地域の放送です」等、表示するチャンネルが利用者の居住地域のチャンネルではないことが識別できる情報とともに、チャンネル情報を表示する（ステップＳ１５）。
【００４０】
そして、サーチするチャンネルが最後（６２チャンネル）で、全ての周波数のサーチを完了したか否かを判定し（ステップＳ６）、最後のチャンネルまでサーチしていればチャンネルサーチの処理を終了し、サーチするチャンネルが最後でないと判定した場合はステップＳ７に進んで、次のチャンネルの周波数を設定する。ステップＳ７では、次のチャンネルの周波数を設定してから、ステップＳ２に戻ってステップＳ２以降の処理を繰り返す。
【００４１】
上記の処理により、利用者がリモートコントローラなどを用いて、チャンネルサーチを開始する指示を受信装置に与えると、受信装置がチャンネルサーチを行って発見したチャンネルの情報が、地域情報とともに、順次画面に表示されていく。
【００４２】
次に、本発明による地上波デジタル放送受信装置の第２の実施例を図７〜図１０を用いて説明する。第２の実施例では、利用者が受信可能な地域を切り替えて地上波デジタル放送受信装置を使う際の動作処理について説明する。図７は、本発明による地上波デジタル放送受信装置の第２の実施例の構成を示すブロック図である。図７の構成は、メモリ部４に、受信地域テーブル４ｃおよび受信地域設定情報４ｄを格納する以外は、図１と同じ構成である。
【００４３】
本実施例は、ＣＰＵ３は、メモリ部４のチャンネルリスト４ｂを走査して、受信可能なチャンネルの地域情報を文字列で示す地域テーブル（受信地域テーブル）を生成し、その地域テーブルを用いて受信可能なチャンネルの対象地域の一覧画面を映像表示部９に出力して表示させ、表示させた受信可能なチャンネルの対象地域の一覧から、利用者が特定の地域を選択できるようにし、この特定の地域の選択を受け付けて、選択された地域に対応するチャンネルのみをチューナ・復調部１に設定する受信周波数とするものである。
【００４４】
ここでは、地上波デジタル放送受信装置には、予め、利用者の居住地域の設定および上述したごとくのチャンネルサーチ処理が行われており、メモリ部４の居住地域設定情報４ａに「徳島県」の地域が設定され、メモリ部４のチャンネルリスト４ｂには図３に示すようなチャンネルリストが形成されているものとする。
【００４５】
地上波デジタル放送受信装置の制御部（ＣＰＵ）３は、メモリ部４のチャンネルリスト４ｂに登録されているチャンネルリストを走査して、その地域情報からメモリ部４の受信地域テーブル４ｃを作成する。図３のチャンネルリストからは、図８のようなテーブルが作成される。
【００４６】
利用者のリモートコントローラ等による操作により、制御部（ＣＰＵ）３はメモリ部４の受信地域テーブル４ｃに登録されている地域から、受信地域の一覧画面を作成、表示する。図８のテーブルからは図９のような受信地域の一覧画面が表示される。この例では、全ての地域のチャンネルを受信できるよう、「全ての地域」という選択項目を設けた。図９の受信地域の一覧画面において、利用者はリモートコントローラ等によりカーソルを移動し、受信したいチャンネルの地域を選択する。選択された地域は、メモリ部４の受信地域設定情報４ｄに設定される。
【００４７】
地上波デジタル放送受信装置の制御部（ＣＰＵ）３は、利用者がリモートコントローラ等を用いて選局指示を行ったとき、チャンネルリスト４ｂの各チャンネルの地域情報と、利用者が設定した受信地域の地域情報を比較して選局を行う。例として、チャンネルアップダウン（順次選局）を行うときの動作処理を、図１０のフローチャートを用いて説明する。
【００４８】
図１０において、地上波デジタル放送受信装置の制御部（ＣＰＵ）３は、始めに、利用者が予め設定した受信地域の地域情報をメモリ部４の受信地域設定情報４ｄから取得する（ステップＳ２１）。また、メモリ部４のチャンネルリスト４ｂから、現在利用者が視聴中のチャンネルのチャンネルリスト内の位置を取得する（ステップＳ２２）。
【００４９】
次に、利用者からの選局指示が、チャンネルアップであるか、チャンネルダウンであるかを判定し（ステップＳ２３）、チャンネルアップであると判定した場合は、ステップＳ２２で取得した位置から、設定位置の前の位置のチャンネル情報を取得する（ステップＳ２４）。また、チャンネルダウンであると判定した場合は、ステップＳ２２で取得した位置から、設定位置の次の位置のチャンネル情報を取得する（ステップＳ２５）。
【００５０】
次に、上記ステップＳ２１において取得した受信地域設定情報の地域情報と、ステップＳ２４またはステップＳ２５において取得したチャンネル情報の地域情報が等しいか否か判断し（ステップＳ２６）、等しくないと判断した場合、ステップＳ２３に戻ってステップＳ２３以降の処理を繰り返す。また、等しいと判断した場合、チャンネル情報に該当するチャンネルに選局処理を行い（ステップＳ２７）、チャンネルアップダウンの処理を終了する。
【００５１】
また、全ての地域のチャンネルを受信できるよう、「全ての地域」という選択項目が選択されている場合も、チャンネル情報に該当するチャンネルに選局処理を行い、チャンネルアップダウンの処理を終了する。
【００５２】
各実施例において、各チャンネルの地域情報表示を、ここではチャンネルリストの画面表示を例として説明したが、受信装置が受信している番組の番組情報表示や、電子番組表（ＥＰＧ）に表示するチャンネルの情報においても、地域情報を表示することが可能である。
【００５３】
【発明の効果】
以上述べたように、本発明により、利用者はデジタル放送受信装置が受信できるチャンネルが、利用者の居住地域のチャンネルであるかどうかを容易に判別することが可能となる。これにより、チャンネルアップ／ダウンするサービスをスキップする設定が受信機に存在する場合、居住地域外のチャンネル選択してスキップするなどが可能となる。
【００５４】
また、デジタル放送受信装置が受信できるチャンネルに対応する地域を選択することで、地域を切り替えてデジタル放送受信装置を利用することが可能となる。
【図面の簡単な説明】
【図１】本発明の第１の実施例である地上波デジタル放送受信装置の構成を示す図である。
【図２】第１の実施例である地上波デジタル放送受信装置におけるチャンネルサーチの処理フローチャートを示す図である。
【図３】チャンネルリストの例を示す図である。
【図４】第１の実施例である地上波デジタル放送受信装置におけるチャンネルリストを画面表示する処理フローチャートを示す図である。
【図５】チャンネルリストの画面表示の例を示す図である。
【図６】第１の実施例である地上波デジタル放送受信装置における、チャンネルサーチを行いながらチャンネル情報を画面表示する処理フローチャートを示す図である。
【図７】本発明の第２の実施例である地上波デジタル放送受信装置の構成を示す図である。
【図８】受信地域テーブルの例を示す図である。
【図９】受信地域の選択設定画面の例を示す図である。
【図１０】第２の実施例である地上波デジタル放送受信装置におけるチャンネルアップダウン（順次選局）の処理フローチャートを示す図である。
【符号の説明】
１…チューナ・復調部、２…ＴＳデコーダ、３…制御部（ＣＰＵ）、４…メモリ部、４ａ…居住地域設定情報、４ｂ…チャンネルリスト、４ｃ…受信地域テーブル、４ｄ…受信地域設定情報、５…ＡＶデコーダ、６…グラフィックス生成部、７…混合部、８…音声出力部、９…映像表示部、１０ａ，１０ｂ…操作部、１１…受信信号入力端子。
【図１】
2004304691.tif 000003
【図２】
2004304691.tif 000004
【図３】
2004304691.tif 000005
【図４】
2004304691.tif 000006
【図５】
2004304691.tif 000007
【図６】
2004304691.tif 000008
【図７】
2004304691.tif 000009
【図８】
2004304691.tif 000010
【図９】
2004304691.tif 000011
【図１０】
2004304691.tif 000012